(57)【要約】【課題】連結支持装置のスライド案内部に対して、支持腕のスライド操作を軽快に、かつ操作性良く行い易くする。【解決手段】主苗のせ台１５Ａの裏面側に設けられたスライド案内部３０と、端部苗のせ台１５Ｂに一端側を連結され、他端側がスライド案内部３０に対して左右方向で相対移動可能に案内支持された支持腕３１とを備え、支持腕３１は、端部苗のせ台１５Ｂに連結された一端側が、スライド案内部３０の延長方向に沿う状態と、主苗のせ台１５Ａの表面側へ向けて起立した状態とにわたって、他端側に備えた揺動軸心Ｐ１周りで揺動可能に構成されているとともに、スライド案内部３０に対して、転動用ローラ３５を介して相対移動可能に支持されている。【選択図】図１２
2015188414.tif 000002
【特許請求の範囲】
【請求項１】
苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、
前記端部苗のせ台が前記主苗のせ台の横側端部に連結されて一連の苗載置面を構成する作業姿勢連結状態と、前記端部苗のせ台が前記主苗のせ台の表面側で重なるように支持された格納支持状態とに、前記主苗のせ台に対する前記端部苗のせ台の姿勢を切換可能な連結支持装置を備え、
前記連結支持装置は、前記主苗のせ台の裏面側に設けられたスライド案内部と、前記端部苗のせ台に一端側を連結され、他端側が前記スライド案内部に対して左右方向で相対移動可能に案内支持された支持腕とを備え、
前記支持腕は、前記端部苗のせ台に連結された一端側が、前記スライド案内部の延長方向に沿う状態と、前記主苗のせ台の表面側へ向けて起立した状態とにわたって、前記他端側に備えた揺動軸心周りで揺動可能に構成されているとともに、前記スライド案内部に対して、転動用ローラを介して相対移動可能に支持されている苗植付装置。
【請求項２】
前記スライド案内部に、前記支持腕のスライド方向に沿う案内溝を形成してあり、前記支持腕に、前記案内溝内を転動する前記転動用ローラが枢支されている請求項１記載の苗植付装置。
【請求項３】
前記支持腕に、その支持腕のスライド方向に沿う案内溝を形成してあり、前記スライド案内部に、前記案内溝内を転動する前記転動用ローラが枢支されている請求項１記載の苗植付装置。
【請求項４】
苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、
前記端部苗のせ台が前記主苗のせ台の横側端部に連結されて一連の苗載置面を構成する作業姿勢連結状態と、前記端部苗のせ台が前記主苗のせ台の表面側で重なるように支持された格納支持状態とに、前記主苗のせ台に対する前記端部苗のせ台の姿勢を切換可能な連結支持装置を備え、
前記連結支持装置は、前記主苗のせ台の裏面側に設けられたスライド案内部と、前記端部苗のせ台に一端側を連結され、他端側が前記スライド案内部に対して左右方向で相対移動可能に案内支持された支持腕とを備え、
前記支持腕は、前記スライド案内部に沿ってスライド移動する横移動腕部と、その横移動腕部の横外側端部に連結された起伏揺動腕部とを備えて、前記横移動腕部の延長方向に前記起伏揺動腕部が沿う伸展姿勢と、前記横移動腕部に対して、前記起伏揺動腕部が前記主苗のせ台の表面側へ向けて起立した屈折姿勢とに姿勢変更可能に構成されている苗植付装置。
【請求項５】
前記スライド案内部に、前記支持腕のスライド方向に沿う案内溝を形成してあり、前記横移動腕部における前記起伏揺動腕部との連結箇所よりも、左右方向で前記主苗のせ台の横内方側寄り箇所の前記横移動腕部に、前記案内溝内を転動する転動用ローラが枢支されている請求項４記載の苗植付装置。
【請求項６】
前記横移動腕部における前記起伏揺動腕部との連結箇所よりも、左右方向で前記主苗のせ台の横内方側寄り箇所における前記横移動腕部に、その横移動腕部のスライド方向に沿う案内溝を形成してあり、前記スライド案内部に、前記案内溝内を転動する転動用ローラが枢支されている請求項４記載の苗植付装置。
【請求項７】
苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、
前記端部苗のせ台が前記主苗のせ台の横側端部に連結されて一連の苗載置面を構成する作業姿勢連結状態と、前記端部苗のせ台が前記主苗のせ台の表面側で重なるように支持された格納支持状態とに、前記主苗のせ台に対する前記端部苗のせ台の姿勢を切換可能な連結支持装置を備え、
前記連結支持装置は、前記主苗のせ台の裏面側に設けられたスライド案内部と、前記端部苗のせ台に一端側を連結され他端側が前記スライド案内部に対して左右方向で相対移動可能に案内支持された支持腕とを備え、
前記支持腕は、前記端部苗のせ台に連結された一端側が、前記スライド案内部の延長方向に沿う状態と、前記主苗のせ台の表面側へ向けて起立した状態とにわたって、前記他端側に備えた揺動軸心周りで揺動可能に構成され、
前記主苗のせ台に、その主苗のせ台の裏面側で、かつ前記スライド案内部の横外方側の端部よりも横外方側の位置で、前記支持腕の前記裏面側への倒れを抑制しながら案内する補助ガイド部材を設けてある苗植付装置。
【請求項８】
前記支持腕は、前記スライド案内部に沿ってスライド移動する横移動腕部と、その横移動腕部の横外側端部に連結された起伏揺動腕部とを備えて、前記横移動腕部の延長方向に前記起伏揺動腕部が沿う伸展姿勢と、前記横移動腕部に対して、前記起伏揺動腕部が前記主苗のせ台の表面側へ向けて起立した屈折姿勢とに姿勢変更可能に構成され、
前記補助ガイド部材は、前記主苗のせ台の裏面側で、かつ前記横移動腕部における前記起伏揺動腕部との連結箇所よりも、左右方向で前記主苗のせ台の横内方側寄り箇所の前記横移動腕部に接触して、前記横移動腕部の前記裏面側への倒れを抑制するように構成されている請求項７記載の苗植付装置。
【請求項９】
苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、
前記主苗のせ台と前記端部苗のせ台とのそれぞれに備えられた前記苗載置部に、載置されている苗を苗取り出し口側へ縦送りする縦送り装置を備え、
前記主苗のせ台と前記端部苗のせ台との分割箇所に、前記主苗のせ台側の縦送り装置を駆動する駆動軸から、前記端部苗のせ台側の縦送り装置を駆動する駆動軸への駆動力の伝達を断続する縦送りクラッチを配設し、
前記縦送りクラッチは、前記主苗のせ台側の駆動側回転体と、前記端部苗のせ台側の従動側回転体とが、前記主苗のせ台と前記端部苗のせ台との分割に伴って分離されるように、前記主苗のせ台と前記端部苗のせ台とに振り分けて設けられたものであり、
かつ、進行方向前方側からの飛散泥土の降りかかりを抑制するためのクラッチ泥除けカバーを前記縦送りクラッチの前方側に備え、
前記クラッチ泥除けカバーは、前記主苗のせ台又は前記端部苗のせ台のいずれかに一端側を片持ち状態に支持させて取り付けてあり、前記主苗のせ台と前記端部苗のせ台との分割に伴って、前記一端側とは反対側で前記主苗のせ台又は前記端部苗のせ台に取り付けられていない側の端部が、前記端部苗のせ台又は前記主苗のせ台から分離可能であるように構成されている苗植付装置。
【請求項１０】
前記クラッチ泥除けカバーの前記一端側は前記主苗のせ台側に取り付けてあり、前記駆動側回転体と前記従動側回転体とが噛合するクラッチ入り状態、及び前記主苗のせ台と前記端部苗のせ台との連結状態で前記駆動側回転体と前記従動側回転体とが離反するクラッチ切り状態では前記駆動側回転体と前記従動側回転体との両回転体を覆い、前記端部苗のせ台の連結解除状態では前記駆動側回転体を覆うように設けられている請求項９記載の苗植付装置。
【請求項１１】
苗のせ台に備えた各苗載置部ごとに、苗載置面上の苗の浮き上がりを抑制するための苗ステーを設けてあり、
前記苗ステーは、上端部側に固定された横支軸周りで下端側を上下位置変更可能に構成され、
前記横支軸は、前記苗のせ台における前記苗載置部の仕切枠から立設された支柱に対して着脱可能に、かつ、前記支柱に対して前記横支軸の軸端が突き合わせ状態で連結支持されている苗植付装置。
【請求項１２】
前記支柱の上部に、前記苗のせ台の後方側を照らす作業灯を取り付けてある請求項１１記載の苗植付装置。
【発明の詳細な説明】
【技術分野】
【０００１】
本発明は、複数の苗載置部を備える主苗のせ台と、その主苗のせ台の左右方向での横側端部に対して連結及び連結解除可能な端部苗のせ台との組み合わせによって構成された苗のせ台を備え、その端部苗のせ台を、主苗のせ台の苗載置面側に重なる格納支持状態に姿勢切換可能な連結支持装置を備えた苗植付装置に関する。
【背景技術】
【０００２】
上記のような、苗のせ台の姿勢切換可能な連結支持装置が備えられた苗植付装置としては、例えば、下記［１］〜「４」に記載の構造のものがある。
［１］端部苗のせ台が、主苗のせ台の横側端部に連なる作業姿勢連結状態と、主苗のせ台の表面側に重複する格納支持状態とに、端部苗のせ台の姿勢を切換可能な連結支持装置を構成するにあたり、その連結支持装置を、主苗のせ台の裏面側に設けられたスライド案内部と、そのスライド案内部に対して左右方向で相対移動可能に案内支持された支持腕とを備えたもので構成し、かつ支持腕をスライド及び起立可能に構成した構造のもの（特許文献１参照）。
［２］端部苗のせ台が、主苗のせ台の横側端部に連なる作業姿勢連結状態と、主苗のせ台の表面側に重複する格納支持状態とに、端部苗のせ台の姿勢を切換可能な連結支持装置を構成するにあたり、その連結支持装置を、主苗のせ台の裏面側に設けられたスライド案内部と、そのスライド案内部に対して左右方向で相対移動可能に案内支持された支持腕とを備えたもので構成し、かつスライド案内部は、支持腕の揺動軸心よりも外側にまで延設された構造のもの（特許文献１参照）。
［３］主苗のせ台と、その主苗のせ台に対して連結及び連結解除可能な端部苗のせ台との組み合わせによって構成された苗のせ台において、その主苗のせ台と端部苗のせ台との分割箇所に、主苗のせ台側の縦送り装置を駆動する駆動軸から、端部苗のせ台側の縦送り装置を駆動する駆動軸への駆動力の伝達を断続する縦送りクラッチを配設したもの（特許文献１参照）。
［４］苗載置面上の上端側で苗の浮き上がりを抑制するための苗ステーを、平面視で略Ｕ字状に形成し、かつ両端側を苗載置部の両側のリブ上に立設し高さ調節ステーに対して係脱可能な形状に屈曲形成し、さらに側面視では上端側をクランク状に屈曲させて形成した構造のもの（特許文献２参照）。
【先行技術文献】
【特許文献】
【０００３】
【特許文献１】特開２０１３−２０８０９９号公報（段落番号「００３５」、「００３６」、図８、図９参照）
【特許文献２】特許第４０８７９８１号公報（段落番号「００１４」、「００１５」、図３、図４、図５参照）
【発明の概要】
【発明が解決しようとする課題】
【０００４】
上記［１］に記載した従来の技術では、主苗のせ台の裏面側に設けられたスライド案内部に対して左右方向で相対移動可能に案内支持された支持腕を備え、その支持腕をスライド及び起立可能に構成したものであるが、この構造のものでは、スライド案内部に形成した長孔に対して、支持腕側の支軸を挿通した状態でスライド操作するものである。このため、スライド操作が軽快に行い難く、またコジレの発生を生じる虞がある点で改善の余地がある。
【０００５】
上記［２］に記載した従来の技術では、主苗のせ台の裏面側に設けられたスライド案内部に対して左右方向で相対移動可能に案内支持された支持腕を備え、その支持腕をスライド及び起立可能に構成し、かつスライド案内部は、支持腕の揺動軸心よりも外側にまで延設されている。この構造のものでは、スライド案内部に形成した長孔に対して、支持腕側の支軸を挿通した状態でスライド操作、及び支軸回りでの起伏揺動により起立可能なものである。しかしながら、長孔と支軸との摺動部分でのスライド操作が軽快に行い難く、またコジレの発生を生じる虞がある点、ならびに、起伏揺動の支点となる支軸を主苗のせ台の横側外方へ大きく突出させる必要があることから、支持腕の揺動軸心よりも外側にまで延設される固定側のスライド案内部の端部も主苗のせ台の横側外方へ大きく突出する状態となり、端部苗のせ台を格納姿勢とした割に苗のせ台の横幅を十分に狭め難く、また全体として支持腕の案内構造が重くなり易いという点で改善の余地がある。
【０００６】
上記［３］に記載した従来の技術では、主苗のせ台と端部苗のせ台との分割箇所に、主苗のせ台側の縦送り装置を駆動する駆動軸から、端部苗のせ台側の縦送り装置を駆動する駆動軸への駆動力の伝達を断続する縦送りクラッチを配設してあるが、この縦送りクラッチ部分に対して、進行方向前方側の後輪などから飛散する泥土が付着する虞がある点で改善の余地がある。
【０００７】
上記［４］に記載した従来の技術では、上端側で苗の浮き上がりを抑制するための苗ステーを、平面視で略Ｕ字状に形成し、かつ両端側を苗載置部の両側のリブ上に立設し高さ調節ステーに対して係脱可能な形状に屈曲形成し、さらに側面視では上端側をクランク状に屈曲させて形成している。このため苗ステーとして複雑に屈曲形成した構造となり、コスト増に繋がる傾向がある点で改善の余地がある。
【０００８】
本発明は、スライド案内部に対して支持腕のスライド操作を軽快に、かつ操作性良く行い易くしようとするものである。
また、固定側のスライド案内部の端部が主苗のせ台の横側外方へ大きく突出する必要のない構造として、全体の軽量化を図るものである。
また、固定側のスライド案内部の端部から横側外方へ突出する支持脚部分の前後方向への動きを安定支持できるようにするものである。
また、縦送りクラッチに対する飛散泥土の付着を軽減できるようにするものである。
また、苗のせ台の上端側で苗の浮き上がりを抑制するための苗ステーの構造を簡素化して、低コスト化を図るものである。
【課題を解決するための手段】
【０００９】
上記課題を解決するために講じた本発明における苗植付装置の技術手段は、次の点に構成上の特徴、及び作用効果がある。
【００１０】
〔解決手段１〕
上記課題を解決するために講じた本発明の技術手段は、苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、前記端部苗のせ台が前記主苗のせ台の横側端部に連結されて一連の苗載置面を構成する作業姿勢連結状態と、前記端部苗のせ台が前記主苗のせ台の表面側で重なるように支持された格納支持状態とに、前記主苗のせ台に対する前記端部苗のせ台の姿勢を切換可能な連結支持装置を備え、前記連結支持装置は、前記主苗のせ台の裏面側に設けられたスライド案内部と、前記端部苗のせ台に一端側を連結され、他端側が前記スライド案内部に対して左右方向で相対移動可能に案内支持された支持腕とを備え、前記支持腕は、前記端部苗のせ台に連結された一端側が、前記スライド案内部の延長方向に沿う状態と、前記主苗のせ台の表面側へ向けて起立した状態とにわたって、前記他端側に備えた揺動軸心周りで揺動可能に構成されているとともに、前記スライド案内部に対して、転動用ローラを介して相対移動可能に支持されていることである。
【００１１】
〔解決手段１にかかる発明の作用及び効果〕
上記解決手段１にかかる発明によると、主苗のせ台の裏面側に設けられたスライド案内部に対して左右方向で相対移動可能に案内支持された支持腕を、スライド案内部に対して転動用ローラを介して相対移動可能に支持させたものであるから、スライド案内部に対する支持腕の左右方向移動を軽快に行うことができ、端部苗のせ台の姿勢切換を簡便に行い易いという利点がある。
また、転動用ローラで軽快に操作可能であることにより、スライド案内部に対する支持腕の相対移動方向での操作にコジレを生じるような不具合が発生する度合いも少なくなる点でも有利である。
【００１２】
〔解決手段２〕
上記課題を解決するために講じた本発明の他の技術手段は、前記スライド案内部に、前記支持腕のスライド方向に沿う案内溝を形成してあり、前記支持腕に、前記案内溝内を転動する前記転動用ローラが枢支されていることである。
【００１３】
〔解決手段２にかかる発明の作用及び効果〕
上記の解決手段２にかかる発明によると、スライド方向に沿う案内溝はスライド案内部に形成してあり、主苗のせ台の裏面側から横側外方へ突出する支持腕部分に案内溝が形成されていないので、支持腕自体の強度低下を免れ、比較的断面積の小さい支持腕であっても強度を保ち易く、苗植付装置全体の軽量化を図り得る利点がある。
【００１４】
〔解決手段３〕
上記課題を解決するために講じた本発明の他の技術手段は、前記支持腕に、その支持腕のスライド方向に沿う案内溝を形成してあり、前記スライド案内部に、前記案内溝内を転動する前記転動用ローラが枢支されていることである。
【００１５】
〔解決手段３にかかる発明の作用及び効果〕
上記の解決手段３にかかる発明によると、スライド案内部に、案内溝内を転動する転動用ローラが枢支されているので、その転動用ローラをスライド案内部の最も横外側端部に近い位置に配備するなどして、支持腕の支持を横外側端部に近い位置で行うことができる。これによって、スライド案内部の横外側端部から突出する支持腕の実質的な支持長さをできるだけ短くした状態で比較的軽く支持し易いという利点がある。
【００１６】
〔解決手段４〕
上記課題を解決するために講じた本発明の他の技術手段は、苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、前記端部苗のせ台が前記主苗のせ台の横側端部に連結されて一連の苗載置面を構成する作業姿勢連結状態と、前記端部苗のせ台が前記主苗のせ台の表面側で重なるように支持された格納支持状態とに、前記主苗のせ台に対する前記端部苗のせ台の姿勢を切換可能な連結支持装置を備え、前記連結支持装置は、前記主苗のせ台の裏面側に設けられたスライド案内部と、前記端部苗のせ台に一端側を連結され、他端側が前記スライド案内部に対して左右方向で相対移動可能に案内支持された支持腕とを備え、前記支持腕は、前記スライド案内部に沿ってスライド移動する横移動腕部と、その横移動腕部の横外側端部に連結された起伏揺動腕部とを備えて、前記横移動腕部の延長方向に前記起伏揺動腕部が沿う伸展姿勢と、前記横移動腕部に対して、前記起伏揺動腕部が前記主苗のせ台の表面側へ向けて起立した屈折姿勢とに姿勢変更可能に構成されていることである。
【００１７】
〔解決手段４にかかる発明の作用及び効果〕
上記の解決手段４にかかる発明によると、支持腕が、スライド案内部に沿ってスライド移動する横移動腕部と、その横移動腕部の横外側端部に連結された起伏揺動腕部とを備えていて、横側外方に引き出された伸展姿勢と、起立する屈折姿勢とに姿勢変更可能に構成されているので、支持腕の揺動軸心位置を、スライド案内部の横外側端部の位置によって規制されることなく、任意の位置に設定することができる。
したがって、スライド案内部の横外側端部の位置を、支持腕の揺動軸心位置よりも横外側にまで延長する必要がなく、スライド案内部の横外方への突出方向長さを短縮することが可能となる。これによってスライド案内部の小型・軽量化を図り得る利点がある。
【００１８】
〔解決手段５〕
上記課題を解決するために講じた本発明の他の技術手段は、前記スライド案内部に、前記支持腕のスライド方向に沿う案内溝を形成してあり、前記横移動腕部における前記起伏揺動腕部との連結箇所よりも、左右方向で前記主苗のせ台の横内方側寄り箇所の前記横移動腕部に、前記案内溝内を転動する転動用ローラが枢支されていることである。
【００１９】
〔解決手段５にかかる発明の作用及び効果〕
上記の解決手段５にかかる発明によると、横移動腕部に、前記案内溝内を転動する転動用ローラが枢支されているので、横移動腕部の左右方向移動を軽快に行うことができる利点がある。
【００２０】
〔解決手段６〕
上記課題を解決するために講じた本発明の他の技術手段は、前記横移動腕部における前記起伏揺動腕部との連結箇所よりも、左右方向で前記主苗のせ台の横内方側寄り箇所における前記横移動腕部に、その横移動腕部のスライド方向に沿う案内溝を形成してあり、前記スライド案内部に、前記案内溝内を転動する転動用ローラが枢支されていることである。
【００２１】
〔解決手段６にかかる発明の作用及び効果〕
上記の解決手段６にかかる発明によると、横移動腕部にスライド方向に沿う案内溝を形成してあり、スライド案内部に転動用ローラが枢支されているので、横移動腕部の左右方向移動を軽快に行うことができる利点がある。
また、転動用ローラをスライド案内部の最も横外側端部に近い位置に配備するなどして、支持腕の支持を横外側端部に近い位置で行うことができ、スライド案内部の横外側端部から突出する支持腕の実質的な支持長さをできるだけ短くした状態で比較的軽く支持し易いという利点がある。
【００２２】
〔解決手段７〕
上記課題を解決するために講じた本発明の他の技術手段は、苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、前記端部苗のせ台が前記主苗のせ台の横側端部に連結されて一連の苗載置面を構成する作業姿勢連結状態と、前記端部苗のせ台が前記主苗のせ台の表面側で重なるように支持された格納支持状態とに、前記主苗のせ台に対する前記端部苗のせ台の姿勢を切換可能な連結支持装置を備え、前記連結支持装置は、前記主苗のせ台の裏面側に設けられたスライド案内部と、前記端部苗のせ台に一端側を連結され他端側が前記スライド案内部に対して左右方向で相対移動可能に案内支持された支持腕とを備え、前記支持腕は、前記端部苗のせ台に連結された一端側が、前記スライド案内部の延長方向に沿う状態と、前記主苗のせ台の表面側へ向けて起立した状態とにわたって、前記他端側に備えた揺動軸心周りで揺動可能に構成され、前記主苗のせ台に、その主苗のせ台の裏面側で、かつ前記スライド案内部の横外方側の端部よりも横外方側の位置で、前記支持腕の前記裏面側への倒れを抑制しながら案内する補助ガイド部材を設けてあることである。
【００２３】
〔解決手段７にかかる発明の作用及び効果〕
上記の解決手段７にかかる発明によると、主苗のせ台に、その主苗のせ台の裏面側で、かつスライド案内部の横外方側の端部よりも横外方側の位置で、支持腕の裏面側への倒れを抑制しながら案内する補助ガイド部材を設けたものであるから、スライド案内部の横外方側の端部の突出量を少なくして苗のせ台全体の軽量化を図りながら、支持腕の横側外方へ突出した箇所の姿勢維持を確実に行える利点がある。
【００２４】
〔解決手段８〕
上記課題を解決するために講じた本発明の他の技術手段は、前記支持腕は、前記スライド案内部に沿ってスライド移動する横移動腕部と、その横移動腕部の横外側端部に連結された起伏揺動腕部とを備えて、前記横移動腕部の延長方向に前記起伏揺動腕部が沿う伸展姿勢と、前記横移動腕部に対して、前記起伏揺動腕部が前記主苗のせ台の表面側へ向けて起立した屈折姿勢とに姿勢変更可能に構成され、前記補助ガイド部材は、前記主苗のせ台の裏面側で、かつ前記横移動腕部における前記起伏揺動腕部との連結箇所よりも、左右方向で前記主苗のせ台の横内方側寄り箇所の前記横移動腕部に接触して、前記横移動腕部の前記裏面側への倒れを抑制するように構成されていることである。
【００２５】
〔解決手段８にかかる発明の作用及び効果〕
上記の解決手段８にかかる発明によると、補助ガイド部材が、横移動腕部における起伏揺動腕部との連結箇所よりも、左右方向で主苗のせ台の横内方側寄り箇所の横移動腕部に接触するように設けられているので、横移動腕部の裏面側への倒れを、単なる当て板部材を用いるなど、簡単な構造によって抑制し得る利点がある。
【００２６】
〔解決手段９〕
上記課題を解決するために講じた本発明の他の技術手段は、苗載置面である表面側に複数の苗載置部を備える主苗のせ台と、その主苗のせ台の左右方向での横側端部に対して連結及び連結解除可能な端部苗のせ台との組み合わせによって構成された苗のせ台を備え、前記主苗のせ台と前記端部苗のせ台とのそれぞれに備えられた前記苗載置部に、載置されている苗を苗取り出し口側へ縦送りする縦送り装置を備え、前記主苗のせ台と前記端部苗のせ台との分割箇所に、前記主苗のせ台側の縦送り装置を駆動する駆動軸から、前記端部苗のせ台側の縦送り装置を駆動する駆動軸への駆動力の伝達を断続する縦送りクラッチを配設し、前記縦送りクラッチは、前記主苗のせ台側の駆動側回転体と、前記端部苗のせ台側の従動側回転体とが、前記主苗のせ台と前記端部苗のせ台との分割に伴って分離されるように、前記主苗のせ台と前記端部苗のせ台とに振り分けて設けられたものであり、かつ、進行方向前方側からの飛散泥土の降りかかりを抑制するためのクラッチ泥除けカバーを前記縦送りクラッチの前方側に備え、前記クラッチ泥除けカバーは、前記主苗のせ台又は前記端部苗のせ台のいずれかに一端側を片持ち状態に支持させて取り付けてあり、前記主苗のせ台と前記端部苗のせ台との分割に伴って、前記一端側とは反対側で前記主苗のせ台又は前記端部苗のせ台に取り付けられていない側の端部が、前記端部苗のせ台又は前記主苗のせ台から分離可能であるように構成されていることである。
【００２７】
〔解決手段９にかかる発明の作用及び効果〕
上記の解決手段９にかかる発明によると、進行方向前方側からの飛散泥土の降りかかりを抑制するためのクラッチ泥除けカバーを縦送りクラッチの前方側に備えたものであるから、苗のせ台の前方側からの飛散泥土が縦送りクラッチに降りかかることを抑制し得る利点がある。
そして、クラッチ泥除けカバーは、主苗のせ台又は端部苗のせ台のいずれかに一端側を片持ち状態に支持させて取り付けてあるので、主苗のせ台と端部苗のせ台との分割に際して、事前に着脱操作を行う手数を要しないという利点がある。
【００２８】
〔解決手段１０〕
上記課題を解決するために講じた本発明の他の技術手段は、前記クラッチ泥除けカバーの前記一端側は前記主苗のせ台側に取り付けてあり、前記駆動側回転体と前記従動側回転体とが噛合するクラッチ入り状態、及び前記主苗のせ台と前記端部苗のせ台との連結状態で前記駆動側回転体と前記従動側回転体とが離反するクラッチ切り状態では前記駆動側回転体と前記従動側回転体との両回転体を覆い、前記端部苗のせ台の連結解除状態では前記駆動側回転体を覆うように設けられていることである。
【００２９】
〔解決手段１０にかかる発明の作用及び効果〕
上記の解決手段１０にかかる発明によると、クラッチ泥除けカバーの一端側は主苗のせ台側に取り付けてあり、主苗のせ台と端部苗のせ台との連結状態では、クラッチ入り状態でも切り状態でも駆動側回転体と従動側回転体との両回転体を覆い、端部苗のせ台の連結解除状態では駆動側回転体を覆うように設けられている。
したがって、クラッチ泥除けカバーによる泥除け作用を、主苗のせ台と端部苗のせ台との連結状態のみならず、端部苗のせ台の連結を解除した状態で機体を走行させた際にも、進行方向前方側からの飛散泥土がクラッチ部分に降りかかることを抑制し得る利点がある。
【００３０】
〔解決手段１１〕
上記課題を解決するために講じた本発明の他の技術手段は、苗のせ台に備えた各苗載置部ごとに、苗載置面上の苗の浮き上がりを抑制するための苗ステーを設けてあり、前記苗ステーは、上端部側に固定された横支軸周りで下端側を上下位置変更可能に構成され、前記横支軸は、前記苗のせ台における前記苗載置部の仕切枠から立設された支柱に対して着脱可能に、かつ、前記支柱に対して前記横支軸の軸端が突き合わせ状態で連結支持されていることである。
【００３１】
〔解決手段１１にかかる発明の作用及び効果〕
上記の解決手段１１にかかる発明によると、苗ステーの横支軸は、苗のせ台における苗載置部の仕切枠から立設された支柱に対して着脱可能に、かつ、支柱に対して横支軸の軸端が突き合わせ状態で連結支持されているので、苗ステーの着脱操作が簡便に行い易いものであるとともに、苗ステーも簡単な構造のもので取り付けやすいという利点がある。
【００３２】
〔解決手段１２〕
上記課題を解決するために講じた本発明の他の技術手段は、前記支柱の上部に、前記苗のせ台の後方側を照らす作業灯を取り付けてあることである。
【００３３】
〔解決手段１２にかかる発明の作用及び効果〕
上記の解決手段１２にかかる発明によると、苗ステーの取付構造を作業灯の取付手段として兼用でき、構造の簡素化を図り得る利点がある。
【図面の簡単な説明】
【００３４】
【図１】乗用型田植機の全体左側面図である。
【図２】苗植付装置の左側面図である。
【図３】苗植付装置の平面図である。
【図４】苗植付装置の正面図である。
【図５】苗植付装置の苗のせ台部分の正面図である。
【図６】苗のせ台を左ストローク端に位置させた状態を示す苗植付装置の端部苗のせ台側の正面図である。
【図７】端部苗のせ台の分離状態を示す苗植付装置の端部苗のせ台側の正面図である。
【図８】苗のせ台の格納支持状態を示す苗植付装置の正面図である。
【図９】苗のせ台の格納支持状態を示す苗植付装置の左側面図である。
【図１０】連結支持装置を示し、（ａ）は最収縮状態を示す正面図、（ｂ）は最伸長状態を示す正面図である。
【図１１】連結支持装置を示し、（ａ）は図１０（ｂ）におけるXIa-XIa線断面図、（ｂ）は図１１（ａ）におけるXIｂ-XIｂ線断面図、（ｃ）は図１１（ａ）におけるXIｃ-XIｃ線断面図である。
【図１２】端部苗のせ台を上側支持フレームに格納した状態を示す要部の横断底面図である。
【図１３】端部苗のせ台を下側支持フレームに格納した状態を示す要部の横断底面図である。
【図１４】端部苗のせ台を格納位置に固定保持するロック機構のロック解除状態（ａ）とロック状態（ｂ）を示す要部の左側面図である。
【図１５】縦送りクラッチ部分を示す説明図である。
【図１６】苗ステーの取り付け箇所を示し、（ａ）は後面図、（ｂ）は側面図である。
【図１７】主苗のせ台側における端部苗のせ台との接続箇所の位置決め構造を示し、（ａ）は側面図、（ｂ）は正面図である。
【図１８】別実施形態における端部苗のせ台を上側支持フレームに格納した状態を示す横断底面図である。
【図１９】別実施形態における端部苗のせ台の作業姿勢連結状態を示す横断底面図である。
【図２０】別実施形態における連結支持装置を示し、（ａ）は図２０（ｂ）におけるXXa-XXa線断面図、（ｂ）は正面図である。
【図２１】端部苗のせ台を下側支持フレームに格納した状態を示し、（ａ）は端部苗の台が二条分の苗を収容するものである場合の横断底面図であり、（ａ）は端部苗の台が一条分の苗を収容するものである場合の横断底面図である。
【発明を実施するための形態】
【００３５】
以下、本発明を実施するための形態の一例として、本発明に係る苗植付装置を適用した乗用型田植機の一例を図面に基づいて説明する。
【００３６】
〔乗用型田植機〕
図１に示すように、本実施形態で例示する乗用型田植機は、走行車体１の後部にリンク機構２を油圧式の昇降シリンダ２Ａの作動で上下揺動するように連結し、このリンク機構２の後端下部に、８条用の苗植付装置４を前後方向の揺動軸心回りでローリング可能に連結して８条植え用に構成している。
【００３７】
走行車体１は、車体フレーム５の前部に搭載したエンジン６からの動力を、主変速装置として備えた静油圧式無段変速装置（図示せず）、及び、トランスミッションケース７に副変速装置として内蔵したギア式変速装置（図示せず）、などを介して左右の前輪８及び左右の後輪９に伝達する４輪駆動型に構成している。エンジン６の後方には、前輪操舵用のステアリングホイール１０及び運転座席１１などを配備して搭乗運転部１２を形成している。走行車体１における前部の左右両横側方箇所には、４枚の予備苗を上下方向に所定間隔をあけて載置する予備苗載装置１３を立設している。
【００３８】
〔苗植付装置〕
図１〜５に示すように、苗植付装置４は、リンク機構２に連結する動力分配ケース１４、８条分のマット状苗を載置することが可能な状態に８条分の苗載置面１５ａを区画形成した苗のせ台１５、苗のせ台１５を一定ストロークで左右方向に往復移動させる横送り機構１６、苗のせ台１５が左右のストローク端に達するごとに苗のせ台上の各マット状苗を苗のせ台１５の下端の苗取り出し口４０Ｃ側に向けて所定ピッチで縦送りする縦送り装置１７、苗のせ台１５に載置した各マット状苗の下端から所定量ずつの苗を切り取って圃場の泥土部に植え付けることが可能な状態に左右方向に一定間隔をあけて配置した８基のロータリ式の植付機構１８、及び、走行車体１の走行に伴って圃場を滑走することにより苗植え付け予定箇所などの圃場泥面を整地する５つの整地フロート１９、などを植付フレーム２０に装備して最大８条の苗の植え付けを行えるように構成してある。
【００３９】
動力分配ケース１４には、トランスミッションケース７が出力する植え付け作業用の動力を受け取って、横送り機構１６、縦送り装置１７、及び、各植付機構１８に分配供給する動力分配機構（図示せず）が内蔵されている。
【００４０】
植付フレーム２０は、苗植付装置４の前下部で左右向きに配備した角パイプ状の主支持部材２１、苗のせ台１５の上部側を左右方向に往復移動可能な状態で支持するように、前記主支持部材２１に前傾姿勢で立設した門型の苗のせ台支持フレーム２２、及び、左右方向に一定間隔をあけた状態で主支持部材２１から後方に向けて延出した支持部材兼用の４つの植付伝動ケース２３、などから構成されている。
【００４１】
〔苗のせ台の支持構造〕
図１〜９に示すように、植付フレーム２０と、その植付フレーム２０に支持される苗のせ台１５との間には、苗植え付け作業時に、苗載置面１５ａと交差する方向への苗のせ台１５の変位を阻止した状態で、苗のせ台１５を左右方向に移動案内するための上側ガイド機構２４と下側ガイド機構２５とが備えられている。
【００４２】
上側ガイド機構２４は、苗のせ台１５の背面側における上部箇所で苗のせ台１５の左右両端部にわたる左右向き姿勢で固定された上側被支持部材２６と、苗のせ台支持フレーム２２の上端部で左右方向に所定間隔をあけた状態で苗のせ台１５の背面に沿う前傾姿勢で配備した６本の支軸２７と、その各支軸２７の上端部に相対回転可能に外嵌装備した６個の上側回転体２８とを備えている。
そして、上側被支持部材２６は、図２に示すように断面形状が下向きＵ字状に形成されていて、左右両端にわたる状態で係合溝２６ａが形成されている。この係合溝２６ａに各上側回転体２８が係入するように、各上側回転体２８に対して上側被支持部材２６を上方から外嵌させてある。これにより、各上側回転体２８が上側被支持部材２６の苗載置面１５ａと交差する方向への変位を阻止しながら左右方向への移動を許容する状態が得られるようにしている。
このように構成された上側ガイド機構２４により、苗植え付け作業時に苗載置面１５ａと交差する方向への苗のせ台１５の変位を阻止しながら苗のせ台１５を左右方向に移動案内するように構成している。
【００４３】
下側ガイド機構２５は、苗のせ台１５の背面側における下部箇所で苗のせ台１５の左右両端部にわたる左右向き姿勢で固定したアルミ押出材からなる下側被支持部材２９と、その下側被支持部材２９を下方から受け止め支持が可能な左右向き姿勢で所定の植付伝動ケース２３に支持させたアルミ押出材からなる摺動ガイド部材４０とを備えている。
摺動ガイド部材４０には、下側被支持部材２９の下面側を受け止める回転周面を備えて左右方向に回転する７個の移動用回転体４０ａ（図５乃至図８参照）が、左右方向に所定間隔をあけて並ぶように配置され、これらの移動用回転体４０ａを介して下側被支持部材２９を左右方向に移動可能に支持するように構成されている。
このように構成された下側ガイド機構２５により、苗植え付け作業時に苗載置面１５ａと交差する方向への苗のせ台１５の変位を阻止しながら苗のせ台１５を左右方向に円滑に移動案内するように構成している。
【００４４】
〔連結支持装置〕
図３〜７に示すように、苗のせ台１５は、苗載置面１５ａを６条分の苗載置部に区画形成した右側の主苗のせ台１５Ａと、苗載置面１５ａを２条分の苗載置部に区画形成した左側の端部苗のせ台１５Ｂとの、左右に分割可能な２分割構造に構成されている。
主苗のせ台１５Ａと端部苗のせ台１５Ｂとは、端部苗のせ台１５Ｂが主苗のせ台１５Ａの横側端部に連結されて一連の苗載置面１５ａを構成する作業姿勢連結状態と、端部苗のせ台１５Ｂが主苗のせ台１５Ａの表面側で重なるように左右幅を狭くした格納支持状態とに、姿勢切換可能に連結支持装置３を介して連結されている。
【００４５】
図４〜１２に示すように、連結支持装置３は、左右向き姿勢で主苗のせ台１５Ａの背面側に固定されたチャンネル状の断面形状を有したスライド案内部３０と、そのスライド案内部３０に対して左右方向で相対移動可能に支持された支持腕３１とを備えている。
支持腕３１は、スライド案内部３０のチャンネル状の断面の内側に内接する寸法及び形状のチャンネル状断面を有して、スライド案内部３０の長手方向に沿って左右にスライド移動可能に配設された横移動腕部３２と、その横移動腕部３２の横外側端部に一端側が連結された角筒状の起伏揺動腕部３３とを備えている。起伏揺動腕部３３は、横移動腕部３２のスライド移動方向に交差する方向で、かつ苗のせ台１５の背面に沿う前傾姿勢の揺動軸心Ｐ１回りで起伏揺動可能に連結され、横移動腕部３２に連結された側とは反対側の端部が、端部苗のせ台１５Ｂの背面側に連結されている。
これによって支持腕３１は、横移動腕部３２の延長方向に起伏揺動腕部３３が沿う伸展姿勢と、横移動腕部３２に対して、起伏揺動腕部３３が主苗のせ台１５Ａの表面側へ向けて起立した屈折姿勢とに姿勢変更可能に構成されている。
【００４６】
スライド案内部３０は、チャンネル状のスライド案内部３０の上下の壁部分３０Ａ，３０Ａを貫通する脚部３４ａ，３４ａを備えた門型金具３４が一体に固定されている。この門型金具３４の脚部３４ａ，３４ａは支持腕３１のスライド方向と交差する方向の軸心を備え、支持腕３１のスライド方向に所定の間隔Ｌ１を隔てた状態で固定されている。そして、この門型金具３４の脚部３４ａ，３４ａのそれぞれに転動用ローラ３５が回転自在に挿嵌されている。
【００４７】
支持腕３１の横移動腕部３２には、スライド案内部３０のチャンネル状の断面の内側に内接する寸法及び形状のチャンネル状断面を有したチャンネル状外壁３２Ａの、チャンネル状の開口側に、平板状の板壁３２Ｂを溶接して固定してある。そして、チャンネル状外壁３２Ａの上下の側壁部分に、前記門型金具３４の脚部３４ａ，３４ａ、及び転動用ローラ３５を挿通可能な長尺の長孔で構成された案内溝３６が形成されている。この案内溝３６は、前記門型金具３４の脚部３４ａ，３４ａ同士の間隔Ｌ１よりも十分に長く形成されており、案内溝３６の長さＬ２と門型金具３４の脚部３４ａ，３４ａ同士の間隔Ｌ１との差分程度が支持腕３１の左右方向でのスライド移動範囲となるように構成されている。
【００４８】
案内溝３６の溝幅Ｗ１は、転動用ローラ３５が嵌り込んだ状態で回転可能であるように、転動用ローラ３５の外径ｄ１とほぼ同程度、もしくは僅かに大きく形成されている。したがって、案内溝３６内で転動用ローラ３５が接触して回転しながら横移動腕部３２のスライド移動を案内する。
このとき、チャンネル状の開口側に設けられた平板状の板壁３２Ｂは、案内溝３６の一方の側縁３６ａとほぼ同じ位置に設けてあり、かつ、案内溝３６の長さＬ２と同程度以上の長さ範囲にわたって設けられている。
【００４９】
この横移動腕部３２に連結される側の起伏揺動腕部３３の端部は、案内溝３６の左横外側（図１０中では右側）の端部よりも横外側箇所で、横移動腕部３２のスライド移動方向に交差する方向で、かつ苗のせ台１５の背面に沿う前傾姿勢の揺動軸心Ｐ１回りで起伏揺動可能に連結されている。
起伏揺動腕部３３の端部苗のせ台１５Ｂに連結される側の端部は、端部苗のせ台１５Ｂの左外側端近くで、前記揺動軸心Ｐ１と平行な揺動軸心Ｐ２回りで回動自在に連結されている。
【００５０】
このように構成された連結支持装置３は、そのスライド案内部３０に対する支持腕３１の左右摺動によって端部苗のせ台１５Ｂを左右方向に摺動変位させ、かつ、スライド案内部３０に対する支持腕３１の起伏揺動によって端部苗のせ台１５Ｂを上下方向に揺動変位させるように構成している。そして、この構成から、苗のせ台１５の格納支持状態では、端部苗のせ台１５Ｂが主苗のせ台１５Ａと平行な姿勢で主苗のせ台１５Ａの苗載置面１５ａの上方に重なるように主苗のせ台１５Ａ側に寄せ上げられて所定の格納位置に位置する状態となり、これにより、作業姿勢連結状態よりも苗のせ台１５の左右幅を狭くすることができる。
【００５１】
図２、図３、図９、及び図１２乃至図１４に示すように、主苗のせ台１５Ａにおける表面側（苗載置面１５ａ側）の左端部には、端部苗のせ台１５Ｂの上部側を所定の格納位置にて受け止め支持する上側支持フレーム６１と、端部苗のせ台１５Ｂの下部側を所定の格納位置にて受け止め支持する下側支持フレーム６２とが立設されている。
したがって、連結支持装置３に連結されている端部苗のせ台１５Ｂを左右方向に摺動変位させ、かつ、スライド案内部３０に対する支持腕３１の起伏揺動によって端部苗のせ台１５Ｂを上下方向に揺動変位させることにより、端部苗のせ台１５Ｂが上側支持フレーム６１と下側支持フレーム６２とに載置され、主苗のせ台１５Ａと平行な姿勢で主苗のせ台１５Ａの苗載置面１５ａの上方に重なる状態で所定の位置に格納される。
【００５２】
下側支持フレーム６２には、端部苗のせ台１５Ｂを所定の格納位置にて固定保持するロック機構６３を備えている。ロック機構６３は、端部苗のせ台１５Ｂを所定の格納位置に係合保持するロック位置と、端部苗のせ台１５Ｂの所定の格納位置からの変位を許容するロック解除位置とにわたって揺動操作可能な門型の係合部材６４、係合部材６４との当接により係合部材６４の揺動範囲をロック位置とロック解除位置との間に制限するコの字状の当接部材６５、及び、係合部材６４のロック位置とロック解除位置との切り換え保持が可能となる状態に係合部材６４と当接部材６５とに掛け渡したトグルバネ６６、などにより構成している。そして、この構成では、当接部材６５がバネ受け部材を兼ねることにより、部品点数の削減及び構成の簡素化などを図ることができる。
端部苗のせ台１５Ｂを搭載する下側支持フレーム６２の表面側には、クッションゴム６２ａなどの弾性材が付設してあり、端部苗のせ台１５Ｂの仕切枠などを受け止めて安定良く支持できるように構成されている。
【００５３】
〔分割・連結構造〕
図１〜９に示すように、主苗のせ台１５Ａの分割端には、その上部側に位置する第１接続部材４１、上下中間部に位置する第２接続部材４２、下部側の表面側に位置する第３接続部材４３、及び、下部側の裏面側に位置する第４接続部材４４を備えている。端部苗のせ台１５Ｂの分割端には、その上部側に位置する第１接続部材４５、上下中間部に位置する第２接続部材４６、下部側の表面側に位置する第３接続部材４７、及び、下部側の裏面側に位置する第４接続部材４８を備えている。
【００５４】
主苗のせ台１５Ａの第１接続部材４１と第２接続部材４２と第４接続部材４４には、位置決め孔４１ａ，４２ａ，４４ａを形成している。端部苗のせ台１５Ｂの第１接続部材４５と第２接続部材４６と第４接続部材４８には、右方に突出する位置決めピン４５ａ，４６ａ，４８ａを備えている。そして、主苗のせ台１５Ａの各位置決め孔４１ａ，４２ａ，４４ａに端部苗のせ台１５Ｂの対応する位置決めピン４５ａ，４６ａ，４８ａを挿通することにより、端部苗のせ台１５Ｂを、主苗のせ台１５Ａと左右に連接する状態となる所定の作業位置に位置決めすることができる。
このうち、端部苗のせ台１５Ｂ側の位置決めピン４６ａと対向する主苗のせ台１５Ａの第２接続部材４２に形成された位置決め孔４２ａは、第２接続部材４２の右側方（図６，７中では左側）に上側被支持部材２６の係合溝２６ａを有した部分が溶接固定された箇所に形成されている（図１７（ａ），（ｂ）参照）。このため、第２接続部材４２の位置決め孔４２ａを形成した部分は、上側被支持部材２６が裏側から当てつけられた状態で固定されていることにより補強されている。また、第２接続部材４２の上端部には、図１７（ａ），（ｂ）に示すように、上側被支持部材２６の前面側に回り込むように折り曲げられた接続片４２ｂが設けられていて、上側被支持部材２６の前面側に溶接固定されている。
【００５５】
苗のせ台１５には、その作業姿勢連結状態において主苗のせ台１５Ａの第１接続部材４１と端部苗のせ台１５Ｂの第１接続部材４５とを連結する第１ロック機構５１、主苗のせ台１５Ａの第２接続部材４２と端部苗のせ台１５Ｂの第２接続部材４６とを連結する第２ロック機構５２、主苗のせ台１５Ａの第３接続部材４３と端部苗のせ台１５Ｂの第３接続部材４７とを連結する第３ロック機構５３、及び、主苗のせ台１５Ａの第４接続部材４４と端部苗のせ台１５Ｂの第４接続部材４８とを連結する第４ロック機構５４を備えている。
【００５６】
第１ロック機構５１は、主苗のせ台１５Ａの第１接続部材４１に備えた溶接ナット５５に、端部苗のせ台１５Ｂの第１接続部材４５に備えたハンドル付きの長尺ボルト５６を螺合して、主苗のせ台１５Ａの第１接続部材４１に端部苗のせ台１５Ｂの第１接続部材４５を接合保持した状態をロック状態とする螺合式に構成している。
【００５７】
第２ロック機構５２は、主苗のせ台１５Ａの第２接続部材４２に備えた被挟持部位４２Ａと、端部苗のせ台１５Ｂの第２接続部材４６に備えた被挟持部位４６Ａとを、主苗のせ台１５Ａの第２接続部材４２に上下揺動可能に備えた断面Ｕ字状の板バネからなるロック具５７により挟持して、主苗のせ台１５Ａの第２接続部材４２に端部苗のせ台１５Ｂの第２接続部材４６を接合保持した状態をロック状態とする挟持式に構成している。
【００５８】
第３ロック機構５３は、主苗のせ台１５Ａの第３接続部材４３に備えた被挟持部位４３Ａと、端部苗のせ台１５Ｂの第３接続部材４７に備えた被挟持部位４７Ａとを、主苗のせ台１５Ａの第３接続部材４３に上下揺動可能に備えた断面Ｕ字状の板バネからなるロック具５８により挟持して、主苗のせ台１５Ａの第３接続部材４３に端部苗のせ台１５Ｂの第３接続部材４７を接合保持した状態をロック状態とする挟持式に構成している。
【００５９】
第４ロック機構５４は、主苗のせ台１５Ａの第４接続部材４４に備えた溶接ナット５９に、端部苗のせ台１５Ｂの第４接続部材４８に備えたハンドル付きの長尺ボルト６０を螺合して、主苗のせ台１５Ａの第４接続部材４４に端部苗のせ台１５Ｂの第４接続部材４８を接合保持した状態をロック状態とする螺合式に構成している。
【００６０】
〔縦送りクラッチの構造〕
【００６１】
図１〜９に示すように、縦送り装置１７は、各苗載置面１５ａに備えたベルト式の縦送り部８２、隣接する２つの縦送り部８２を連動連結する４本の連動軸８３、各連動軸８３を駆動する駆動軸８４、及び、駆動軸８４から各連動軸８３への伝動を個々に断続する４つの縦送りクラッチ８５、などを備えて構成している。
【００６２】
縦送り装置１７において、主苗のせ台１５Ａに配備する３つの連動軸８３及び駆動軸８４は、駆動軸８４に各連動軸８３を相対回転可能に外嵌した２重軸構造で、対応する連動軸８３と駆動軸８４との間に介装した縦送りクラッチ８５の断続操作によって駆動軸８４から各連動軸８３への伝動を個々に断続することができるように構成している。
端部苗のせ台１５Ｂに配備する連動軸８３は、苗のせ台１５の作業姿勢連結状態において駆動軸８４と同心上で左右に隣接し、それらの間に介装した縦送りクラッチ８５の断続操作によって駆動軸８４から連動軸８３への伝動を断続するように構成している。
そして、この端部苗のせ台１５Ｂの連動軸８３に対する縦送りクラッチ８５は、苗のせ台１５を作業姿勢連結状態から格納支持状態に切り換えるときに、縦送り装置１７の主苗のせ台１５Ａ側と端部苗のせ台１５Ｂ側との分割を可能にする分割機構を兼ねるように構成している。
【００６３】
つまり、図４乃至図７に示すように、縦送りクラッチ８５は、主苗のせ台１５Ａと端部苗のせ台１５Ｂとの分割箇所に設けてあって、縦送りクラッチ８５の駆動側のクラッチ爪８５ａ（駆動側回転体に相当する）と従動側のクラッチ爪８５ｂ（従動側回転体に相当する）とが、主苗のせ台１５Ａの駆動軸８４側と端部苗のせ台１５Ｂの連動軸８３側とに振り分けられた状態で設けてある。
したがって、図７及び図１５（ｃ）に示すように、主苗のせ台１５Ａと端部苗のせ台１５Ｂとを分割したとき、縦送りクラッチ８５の駆動側のクラッチ爪８５ａと従動側のクラッチ爪８５ｂとが、主苗のせ台１５Ａと端部苗のせ台１５Ｂとに分離するように取り付けられている。
【００６４】
図１５に示すように、主苗のせ台１５Ａと端部苗のせ台１５Ｂとの分割箇所に設けてある縦送りクラッチ８５の背面側、すなわち機体進行方向での前方側に相当する、主苗のせ台１５Ａ側の背部には、走行車体１の進行方向前方側からの飛散泥土の降りかかりを抑制するためのクラッチ泥除けカバー８５ｃが設けられている。
このクラッチ泥除けカバー８５ｃは、主苗のせ台１５Ａ側に固定されていて、図１５（ａ）及び（ｂ）に示すように、主苗のせ台１５Ａと端部苗のせ台１５Ｂとが一体に連結された状態では、縦送りクラッチ８５が入り状態（図１５（ａ）参照）でも、縦送りクラッチ８５が切り状態（図１５（ｂ）参照）であっても、縦送りクラッチ８５の前方に位置して、進行方向前方側からの飛散泥土の降りかかりを抑制するように設けられている。
図１５（ｃ）に示すように、主苗のせ台１５Ａと端部苗のせ台１５Ｂとが分離された状態では、クラッチ泥除けカバー８５ｃは主苗のせ台１５Ａ側に固定されていて、主苗のせ台１５Ａ側における縦送りクラッチ８５の駆動側のクラッチ爪８５ａに対する進行方向前方側からの飛散泥土の降りかかりを抑制するように設けられている。
【００６５】
又、この縦送りクラッチ８５の操作部８５Ａ、この縦送りクラッチ８５に対する操作具としての操作レバー８６、及び、操作レバー８６を操作部８５Ａに操作可能に連係する連係ワイヤ８７や操作アーム８８などを備えた操作系８９を、他の縦送りクラッチ８５に対する操作レバー８６及び操作系８９と同様に主苗のせ台１５Ａに配備している。
これにより、専用の分割機構を装備する場合に比較して、部品点数の削減及び縦送り装置１７の分割に関する構造の簡素化などを図ることができる。又、専用の分割機構を装備する場合には、端部苗のせ台１５Ｂの連動軸８３に対する縦送りクラッチ８５の全体、及び、この縦送りクラッチ８５に対する操作系８９を端部苗のせ台側に配備しなければならないことから、苗のせ台１５の格納支持状態への切り換えを可能にするために、連係ワイヤ８７の長さを長くする、あるいは、連係ワイヤ８７の配索に工夫を凝らす、といった対策を講じる必要があるが、上記の構成では、このような対策を不要にすることができる。
【００６６】
〔苗ステーの突き合わせ構造〕
図１乃至３、及び図９に示すように、主苗のせ台１５Ａと端部苗のせ台１５Ｂとのそれぞれには、苗載置面１５ａに搭載されたマット状苗の浮き上がりを抑制するための金属製の苗ステー７０が装着されている。苗ステー７０は、主苗のせ台１５Ａと端部苗のせ台１５Ｂとで各別に固定支持されており、主苗のせ台１５Ａと端部苗のせ台１５Ｂとの分割の際に苗ステー７０を着脱する手数を省略できるようにしてある。
【００６７】
苗ステー７０のうち、端部苗のせ台１５Ｂ側の苗ステー７０は次のように構成されている。
図１６に示すように、端部苗のせ台１５Ｂの左右両側の仕切枠に取付スタンド７１，７１（支柱に相当する）が固定され、この取付スタンド７１，７１の上部に、苗ステー７０の横杆７２（横支軸に相当する）を支持可能な支持金具７３が、取付スタンド７１，７１の上下方向でスライドして位置変更可能であるように装着されている。
横杆７２は直線状の棒材で構成され、その左右方向の両端部が、左右の取付スタンド７１，７１と当接することによって左右方向への横移動が制限されるように固定してある。横杆７２の左右方向の中間位置には複数本の押さえ杆７２ａが溶接固定されている。
【００６８】
支持金具７３の横側部には、図１６（ａ）に示すように、横杆７２の挿通が可能な支持孔７３ａを形成してあり、この支持孔７３ａに横杆７２の端部を挿入して支持させるものである。支持孔７３ａに対する横杆７２の端部の挿入操作は、左右の取付スタンド７１，７１の上部同士の間隔を、左右方向で押し広げることによって、支持孔７３ａに横杆７２の端部を挿入する。
これは、苗のせ台１５が比較的薄い板状の合成樹脂製材料で構成され、しかも、その苗のせ台１５から立設された取付スタンド７１，７１の上部に支持金具７３が装着されているので、左右の取付スタンド７１，７１同士の間隔は、苗のせ台１５自体の弾性復元可能な範囲での僅かな弾性変形を利用して、押し広げる方向に力を加えると、少しだけ拡げることができる。このように、左右の取付スタンド７１，７１同士の間隔を弾性復元可能な範囲で押し広げることにより、支持孔７３ａに横杆７２の端部を挿入することができる。
横杆７２の高さ位置の調節は、支持金具７３の横側部に備えた蝶ネジ７４を締め付け、又は緩めることによって、支持金具７３毎、横杆７２の上下位置を変更することによって行われる。
【００６９】
取付スタンド７１，７１のうち、一方の取付スタンド７１の頂部に、取付金具７５を介して照明器具７６を着脱可能に構成してある。
この照明器具７６は、苗のせ台１５の苗載置面１５ａ、植付機構１８、あるいは、苗のせ台１５の後方側の圃場等を照射可能に構成してある。またその照射方向や照射高さも、取付スタンド７１に対する取付金具７５の位置調節、及び取付金具７５に対する照明器具７６の照射角度の調節によって行うことができる。
これによって、夜間の作業中にも、植え付け直後の既植苗の状況や苗のせ台１５上の苗残量の確認などを行い易いという利点がある。
【００７０】
〔その他〕
苗のせ台１５の端部苗のせ台１５Ｂを格納支持状態へ切り換えることによって、苗のせ台１５の左右幅は狭められた状態となるが、これに応じて、下側ガイド機構２５の摺動ガイド部材４０は、図８に示すように、その摺動ガイド部材４０の両端部を機体内側に折り畳み格納可能に構成してある。
つまり、摺動ガイド部材４０は、格納支持状態に切り換えた苗のせ台１５の左右幅と略同じ長さで左右中央に位置する固定部４０Ａと左右両端の可動部４０Ｂとを備えている。そして、固定部４０Ａの左右両端部に左右の可動部４０Ｂを、固定部４０Ａに対する各可動部４０Ｂの左右方向への摺動変位と上下方向への揺動変位とを許容する状態に、図示しない接続機構を介して接続することにより、固定部４０Ａと左右の可動部４０Ｂとを左右に連接した作業姿勢連結状態と、図８に示すように、苗のせ台１５と同様に作業姿勢連結状態よりも左右幅を狭くした折り畳み格納状態とに切り換え可能に構成されている。
また、左右両端部の可動部４０Ｂは、図５乃至図７に示されるように、作業姿勢連結状態時における固定部４０Ａの延長方向へ突出した姿勢を、端部苗のせ台１５Ｂの背部側から延出した垂れ防止ブラケット４９との係合によって支持されることにより維持されている。
【００７１】
図１乃至図４、図９に示すように、植付フレーム２０における主支持部材２１の左右両端部には、下側ガイド機構２５を保護する左右の保護部材９０の取り付けを可能にする平面視Ｌ字状の取付板９１を装備している。各保護部材９０は、図４に実線で示すように、下側ガイド機構２５の横外側に張り出して下側ガイド機構２５を保護する状態となる保護位置と、図４に仮想線で示すように、下向き姿勢で収納されてスタンドとしての使用が可能となる収納位置とに切り換えることができる。
また、苗植付装置４の左右両側部には、植え付け作業時に次回の走行基準線を圃場の泥面に形成する線引きマーカ９２が装備されている。
【００７２】
〔別実施形態の１〕
連結支持装置３としては、実施の形態で示したよう支持腕３１を、横移動腕部３２と起伏揺動腕部３３とを用いて揺動軸心Ｐ１回りで屈折可能に構成した構造に限られるものではない。
例えば図１８及び図１９に示されるように、支持腕３１が一本の長尺部材で構成されたものであってもよい。
この構造によると、連結支持装置３は、左右向き姿勢で主苗のせ台１５Ａの左端部から左外方に延出する状態に主苗のせ台１５Ａに固定した断面形状がチャンネル状のスライド案内部３０と、スライド案内部３０に左右方向への摺動が可能は状態で内嵌する左右向き姿勢で断面形状がチャンネル状の支持腕３１とを備えている。
【００７３】
スライド案内部３０は、その延出端部である左端部に苗のせ台１５の下部側部分に沿う前傾姿勢の揺動軸心Ｐ１となる支軸３７を装備している。支持腕３１は、スライド案内部３０との連結側である右側部分に左右向きの長孔によって構成された案内溝３６を形成している。又、その左端部には、苗のせ台１５の下部側部分に沿って、前記揺動軸心Ｐ１と平行な揺動軸心Ｐ２となる前傾姿勢の支軸３８を介して端部苗のせ台１５Ｂを枢支連結している。そして、スライド案内部３０に装備する揺動軸心Ｐ１となる支軸３７を、支持腕３１に形成した案内溝３６に挿通してスライド案内部３０に固定することにより、スライド案内部３０に対する支持腕３１の左右摺動と揺動軸心Ｐ１を揺動中心とした起伏揺動とが可能な状態に、スライド案内部３０と支持腕３１とが連結されている。
【００７４】
これにより、連結支持装置３は、そのスライド案内部３０に対する支持腕３１の左右摺動によって端部苗のせ台１５Ｂを左右方向に摺動変位させ、かつ、スライド案内部３０に対する支持腕３１の揺動軸心Ｐ１回りでの起伏揺動によって端部苗のせ台１５Ｂを上下方向に揺動変位させるように構成されたものである。この構成により、苗のせ台１５の格納支持状態では、図１８に示すように、端部苗のせ台１５Ｂが主苗のせ台１５Ａと平行な姿勢で主苗のせ台１５Ａの苗載置面１５ａの上方に重なるように主苗のせ台側に寄せ上げられて所定の格納位置に位置する状態となり、作業姿勢連結状態よりも苗のせ台１５の左右幅を狭くすることができる。
【００７５】
この構造における連結支持装置３では、支軸３７に転動用ローラ３５を回転自在に装着してあり、この転動用ローラ３５が支持腕３１に形成した案内溝３６に挿通されている。したがって、転動用ローラ３５が案内溝３６内で転動することにより、端部苗のせ台１５Ｂを左右方向に摺動変位させる操作を軽快に行うことができる。
尚、この実施形態のように、スライド案内部３０に揺動軸心Ｐ１となる支軸３７を装備し、支持腕３１に案内溝３６を形成したものに限らず、逆に、スライド案内部３０に左右方向に沿う案内溝３６を形成し支持腕３１に揺動軸心Ｐ１となる支軸３７を装備させたものであってもよい。いずれの場合にも、支軸３７に転動用ローラ３５が装着され、案内溝３６内を転動するように構成すればよい。
その他の構成は、前述した実施形態と同様の構成を採用すればよい。
【００７６】
〔別実施形態の２〕
実施の形態では、スライド案内部３０に門型金具３４を取り付けて、その門型金具３４の一対の脚部３４ａ，３４ａが支持腕３１の案内溝３６に挿通されて、一対の脚部３４ａ，３４ａのスパンを利用して、支持腕３１の姿勢維持を行うように構成した構造のものを例示したが、これに限られるものではない。
例えば、図２０に示すように、スライド案内部３０に支軸３９を取り付けて、その支軸３９が支持腕３１の案内溝３６に挿通された状態で、支持腕３１のスライド移動が行われるように構成してもよい。この構造における連結支持装置３では、支軸３９に転動用ローラ３５を回転自在に装着してあり、この転動用ローラ３５が支持腕３１に形成した案内溝３６に挿通されている。
【００７７】
さらに、この構造では、スライド案内部３０側に、スライド案内部３０の横外方側端部よりも横外方へ突出した位置で、支持腕３１の背面側（苗のせ台１５の背面から離れる前方側）を受け止め支持する補助ガイド部材３０Ｂが溶接固定されている。この補助ガイド部材３０Ｂは、支持腕３１の左右方向でのスライド移動は許しながら、苗のせ台１５の背面から離れる前方側への支持腕３１の動きを規制するものであり、支持腕３１の最収縮状態から最突出状態に至る範囲で、支持腕３１の背面側を受け止め支持し得るように配備されている。
【００７８】
尚、この実施形態のように、スライド案内部３０に支軸３９を装備し、支持腕３１に案内溝３６を形成したものに限らず、逆に、スライド案内部３０に左右方向に沿う案内溝３６を形成し支持腕３１に支軸３９を装備させたものであってもよい。いずれの場合にも、支軸３９に転動用ローラ３５が装着され、案内溝３６内を転動するように構成すればよい。
その他の構成は、前述した実施形態と同様の構成を採用すればよい。
【００７９】
〔別実施形態の３〕
実施の形態では、案内溝３６として長孔を用いた構造のものを例示したが、これに限られるものではなく、例えば左右方向に沿う凹溝など、転動用ローラ３５が、ある程度支持腕３１の移動方向に交差する方向での位置規制をされながら凹溝内で転動し得る構造のものであればよい。
その他の構成は、前述した実施形態と同様の構成を採用すればよい。
【００８０】
〔別実施形態の４〕
実施の形態では、スライド案内部３０と支持腕３１との相対移動部分に、案内溝３６と転動用ローラ３５とによる転がり移動部分を設けた構造のものを例示したが、必ずしもこれに限られるものではない。
例えば、連結支持装置３としては、支持腕３１を、一本の長尺部材で構成されたものではなく、横移動腕部３２と起伏揺動腕部３３とを用いて、中間位置の揺動軸心Ｐ１回りで屈折可能に構成した構造のものであれば、スライド案内部３０と支持腕３１との相対移動範囲も少なくて済むので、案内溝３６と転動用ローラ３５とによる転がり移動部分を省略して、単なる案内溝３６と案内溝３６に挿通された軸体とによる摺動可能な構造のもの、あるいは、単なる筒状部分同士の嵌合構造によって摺動可能に構成されたものであっても差し支えない。
その他の構成は、前述した実施形態と同様の構成を採用すればよい。
【００８１】
〔別実施形態の５〕
実施の形態では、連結支持装置３によって、図２１（ａ）に示すように、２条分のマット状苗を載置可能な端部苗のせ台１５Ｂを、左右方向へスライド移動、ならびに上下方向に揺動変位させるように構成した構造のものを示したが、これに限らず、例えば１条分のマット状苗を載置可能な端部苗のせ台１５Ｂを、左右方向へスライド移動、ならびに上下方向に揺動変位させるように構成したものであってもよい。
この場合、図２１（ｂ）に示すように、端部苗のせ台１５Ｂの下部側を所定の格納位置にて受け止め支持する下側支持フレーム６２では、端部苗のせ台１５Ｂの背面側に付設されている垂れ防止ブラケット４９との接触を避けられるように、部分的に凹入した部分を形成してあるとともに、その垂れ防止ブラケット４９と反対側の仕切枠との間で端部苗のせ台１５Ｂの背面側を受け止め支持し得るように、クッションゴム６２ａなどの弾性材を設けてある。
その他の構成は、前述した実施形態と同様の構成を採用すればよい。
【００８２】
〔別実施形態の６〕
実施の形態では、苗のせ台１５として、一つの主苗のせ台１５Ａと、一つの端部苗のせ台１５Ｂとの分割形式に構成した構造のものを示したが、これに限られるものではない。
例えば、一つの主苗のせ台１５Ａと、その左右両側に分割可能な端部苗のせ台１５Ｂを備えた三分割形式のもので構成してもよい。この場合、連結支持装置３は、左右両側の分割可能な端部苗のせ台１５Ｂのそれぞれに対して取り付けても良いし、いずれか一方の端部苗のせ台１５Ｂに対して取り付け、他方は単に着脱するだけのものに構成してもよい。
その他の構成は、前述した実施形態と同様の構成を採用すればよい。
【産業上の利用可能性】
【００８３】
本発明に係る田植機の苗のせ台支持構造は、乗用型田植機や歩行型田植機などに適用することができる。
【符号の説明】
【００８４】
３          連結支持装置
１５        苗のせ台
１５ａ      苗載置面
１５Ａ      主苗のせ台
１５Ｂ      端部苗のせ台
１７        縦送り装置
３０        スライド案内部
３０Ｂ      補助ガイド部材
３１        支持腕
３２        横移動腕部
３３        起伏揺動腕部
３５        転動用ローラ
３６        案内溝
４０Ｃ      苗取り出し口
７０        苗ステー
７１        支柱
７２        横支軸
７６        作業灯
８４        駆動軸
８５        縦送りクラッチ
８５ａ      駆動側回転体
８５ｂ      従動側回転体
８５ｃ      クラッチ泥除けカバー
Ｐ１        揺動軸心
【図１】
2015188414.tif 000003
【図２】
2015188414.tif 000004
【図３】
2015188414.tif 000005
【図４】
2015188414.tif 000006
【図５】
2015188414.tif 000007
【図６】
2015188414.tif 000008
【図７】
2015188414.tif 000009
【図８】
2015188414.tif 000010
【図９】
2015188414.tif 000011
【図１０】
2015188414.tif 000012
【図１１】
2015188414.tif 000013
【図１２】
2015188414.tif 000014
【図１３】
2015188414.tif 000015
【図１４】
2015188414.tif 000016
【図１５】
2015188414.tif 000017
【図１６】
2015188414.tif 000018
【図１７】
2015188414.tif 000019
【図１８】
2015188414.tif 000020
【図１９】
2015188414.tif 000021
【図２０】
2015188414.tif 000022
【図２１】
2015188414.tif 000023